(57)【特許請求の範囲】
【請求項１】
タイヤ周方向に沿って螺旋状に巻かれたリボンゴムにより形成されるゴム部を備えるタイヤであって、
前記リボンゴムは、
タイヤ幅方向の外側２列目から外側１列目に亘って、タイヤ周方向に対して傾斜して配置される第１傾斜部と、
端部が前記第１傾斜部の端部と連結され、タイヤ幅方向の外側１列目を構成すべく、タイヤ周方向と平行に配置される第１平行部と、
端部が前記第１平行部の端部と連結され、タイヤ周方向に対して傾斜して配置される最外傾斜部と、
を備え、
前記最外傾斜部は、前記第１傾斜部に沿って配置されると共に、タイヤ幅方向の外側１列目から外側１列目よりも外側にまで配置される、タイヤ。
【請求項２】
前記最外傾斜部の断面積は、前記第１平行部の断面積よりも小さい請求項１に記載のタイヤ。
【請求項３】
前記最外傾斜部は、巻き方向においてタイヤ幅方向の外側１列目よりも外側から外側１列目に向かうように、タイヤ周方向に対して傾斜して配置され、
前記第１平行部は、巻き始端が前記最外傾斜部の巻き終端と連結され、タイヤ幅方向の外側１列目を構成すべく、タイヤ周方向と平行に配置され、
前記第１傾斜部は、巻き始端が前記第１平行部の巻き終端と連結され、巻き方向においてタイヤ幅方向の外側１列目から外側２列目に向かうように、タイヤ周方向に対して傾斜して配置される、請求項１又は２に記載のタイヤ。
【請求項４】
前記第１傾斜部は、巻き方向においてタイヤ幅方向の外側２列目から外側１列目に向かうように、タイヤ周方向に対して傾斜して配置され、
第１平行部は、巻き始端が前記第１傾斜部の巻き終端と連結され、タイヤ幅方向の外側１列目を構成すべく、タイヤ周方向と平行に配置され、
前記最外傾斜部は、巻き始端が前記第１平行部の巻き終端と連結され、巻き方向においてタイヤ幅方向の外側１列目から外側１列目よりも外側に向かうように、タイヤ周方向に対して傾斜して配置される、請求項１又は２に記載のタイヤ。
【請求項５】
請求項１に記載のタイヤの製造方法であって、
タイヤ幅方向の外側１列目よりも外側から外側１列目に向かうように、タイヤ周方向に対して傾斜させてリボンゴムを巻くことと、
その後、タイヤ幅方向の外側１列目を構成すべく、タイヤ周方向と平行にリボンゴムを巻くことと、
その後、タイヤ幅方向の外側１列目から外側２列目に向かうように、タイヤ周方向に対して傾斜させてリボンゴムを巻くことと、を含む、タイヤの製造方法。
【請求項６】
請求項１に記載のタイヤの製造方法であって、
タイヤ幅方向の外側２列目から外側１列目に向かうように、タイヤ周方向に対して傾斜させてリボンゴムを巻くことと、
その後、タイヤ幅方向の外側１列目を構成すべく、タイヤ周方向と平行にリボンゴムを巻くことと、
その後、タイヤ幅方向の外側１列目から外側１列目よりも外側に向かうように、タイヤ周方向に対して傾斜させてリボンゴムを巻くことと、を含む、タイヤの製造方法。
【発明の詳細な説明】
【技術分野】
【０００１】
本発明は、タイヤ周方向に沿って螺旋状に巻かれたリボンゴムにより形成されるゴム部を備えるタイヤ、及び、該タイヤの製造方法に関する。
【背景技術】
【０００２】
従来、タイヤとして、タイヤ周方向に沿って螺旋状に巻かれたリボンゴムにより形成されるゴム部を備えるタイヤが、知られている（例えば、特許文献１及び２）。具体的には、未加硫のリボンゴムを螺旋状に巻かれたゴム部を備える未加硫タイヤを、加硫することで、加硫タイヤが形成される。
【０００３】
ところで、特許文献１及び２に係るタイヤにおいては、リボンゴムがタイヤ幅方向の外側１列目から巻かれている。そして、タイヤ幅方向の外側１列目において、リボンゴムが重なることで、ゴムの余剰箇所が発生する。これにより、タイヤ幅方向の外側１列目のゴム重量が、タイヤ周方向において、不均一になるため、例えば、当該ゴム部を備えるタイヤにおいて、ＲＦＶ（Radial Force Variation）が大きくなる。
【先行技術文献】
【特許文献】
【０００４】
【特許文献１】特開２００６−６９１３０号公報
【特許文献２】特開２００９−１１９８２４号公報
【発明の概要】
【発明が解決しようとする課題】
【０００５】
そこで、課題は、リボンゴムにより形成されるゴム部において、タイヤ幅方向の外側１列目のゴム重量がタイヤ周方向において不均一になることを抑制することができるタイヤ及びタイヤの製造方法を提供することである。
【課題を解決するための手段】
【０００６】
タイヤは、タイヤ周方向に沿って螺旋状に巻かれたリボンゴムにより形成されるゴム部を備えるタイヤであって、前記リボンゴムは、タイヤ幅方向の外側２列目から外側１列目に亘って、タイヤ周方向に対して傾斜して配置される第１傾斜部と、端部が前記第１傾斜部の端部と連結され、タイヤ幅方向の外側１列目を構成すべく、タイヤ周方向と平行に配置される第１平行部と、端部が前記第１平行部の端部と連結され、タイヤ周方向に対して傾斜して配置される最外傾斜部と、を備え、前記最外傾斜部は、前記第１傾斜部に沿って配置されると共に、タイヤ幅方向の外側１列目から外側１列目よりも外側にまで配置される。
【０００７】
また、タイヤにおいては、前記最外傾斜部の断面積は、前記第１平行部の断面積よりも小さい、という構成でもよい。
【０００８】
また、タイヤにおいては、前記最外傾斜部は、巻き方向においてタイヤ幅方向の外側１列目よりも外側から外側１列目に向かうように、タイヤ周方向に対して傾斜して配置され、前記第１平行部は、巻き始端が前記最外傾斜部の巻き終端と連結され、タイヤ幅方向の外側１列目を構成すべく、タイヤ周方向と平行に配置され、前記第１傾斜部は、巻き始端が前記第１平行部の巻き終端と連結され、巻き方向においてタイヤ幅方向の外側１列目から外側２列目に向かうように、タイヤ周方向に対して傾斜して配置される、という構成でもよい。
【０００９】
また、タイヤにおいては、前記第１傾斜部は、巻き方向においてタイヤ幅方向の外側２列目から外側１列目に向かうように、タイヤ周方向に対して傾斜して配置され、第１平行部は、巻き始端が前記第１傾斜部の巻き終端と連結され、タイヤ幅方向の外側１列目を構成すべく、タイヤ周方向と平行に配置され、前記最外傾斜部は、巻き始端が前記第１平行部の巻き終端と連結され、巻き方向においてタイヤ幅方向の外側１列目から外側１列目よりも外側に向かうように、タイヤ周方向に対して傾斜して配置される、という構成でもよい。
【００１０】
また、タイヤの製造方法は、前記のタイヤの製造方法であって、タイヤ幅方向の外側１列目よりも外側から外側１列目に向かうように、タイヤ周方向に対して傾斜させてリボンゴムを巻くことと、その後、タイヤ幅方向の外側１列目を構成すべく、タイヤ周方向と平行にリボンゴムを巻くことと、その後、タイヤ幅方向の外側１列目から外側２列目に向かうように、タイヤ周方向に対して傾斜させてリボンゴムを巻くことと、を含む。
【００１１】
また、タイヤの製造方法は、前記のタイヤの製造方法であって、タイヤ幅方向の外側２列目から外側１列目に向かうように、タイヤ周方向に対して傾斜させてリボンゴムを巻くことと、その後、タイヤ幅方向の外側１列目を構成すべく、タイヤ周方向と平行にリボンゴムを巻くことと、その後、タイヤ幅方向の外側１列目から外側１列目よりも外側に向かうように、タイヤ周方向に対して傾斜させてリボンゴムを巻くことと、を含む。
【発明の効果】
【００１２】
以上の如く、タイヤ及びタイヤの製造方法は、リボンゴムにより形成されるゴム部において、タイヤ幅方向の外側１列目のゴム重量がタイヤ周方向において不均一になることを抑制することができる、という優れた効果を奏する。
【図面の簡単な説明】
【００１３】
【図１】図１は、一実施形態に係るタイヤのタイヤ子午面における要部断面図である。
【図２】図２は、同実施形態に係るタイヤを成形するための製造設備の概略図である。
【図３】図３は、同実施形態に係るリボンゴムの斜視図である。
【図４】図４は、同実施形態に係るタイヤのリボンゴムの巻き付け状態を説明する斜視図である。
【図５】図５は、同実施形態に係るタイヤのリボンゴムの巻き付け状態を説明する正面図である。
【図６】図６は、比較例に係るリボンゴムの巻き付け状態を説明する要部正面図である。
【図７】図７は、比較例に係るリボンゴムの巻き付け状態を説明する要部正面図である。
【図８】図８は、図４及び図５に係るリボンゴムの巻き付け状態を説明する要部正面図である。
【図９】図９は、同実施形態に係るリボンゴムの巻き付け状態を説明する要部正面図である。
【図１０】図１０は、同実施形態に係るリボンゴムの巻き付け状態を説明する要部正面図である。
【図１１】図１１は、同実施形態に係るリボンゴムの巻き付け状態を説明する要部正面図である。
【図１２】図１２は、他の実施形態に係るリボンゴムの巻き付け状態を説明する要部正面図である。
【図１３】図１３は、さらに他の実施形態に係るタイヤを成形するための製造設備の概略図である。
【図１４】図１４は、さらに他の実施形態に係るタイヤを成形するための製造設備の概略図である。
【発明を実施するための形態】
【００１４】
以下、タイヤにおける一実施形態について、図１〜図１１を参酌して説明する。なお、各図（図１２〜図１４も同様）において、図面の寸法比と実際の寸法比とは、必ずしも一致しておらず、また、各図面の間での寸法比も、必ずしも一致していない。
【００１５】
図１に示すように、本実施形態に係るタイヤ１は、ビード２ａを有する一対のビード部２と、各ビード部２からタイヤ径方向Ｄ２の外側に延びるサイドウォール部３と、一対のサイドウォール部３のタイヤ径方向Ｄ２の外端部に連接され、トレッド面を構成するトレッド部４とを備えている。本実施形態においては、タイヤ１は、内部に空気が入れられる空気入りタイヤであって、リム１００に装着される。
【００１６】
図１において、タイヤ幅方向Ｄ１は、左右方向である。また、タイヤ径方向Ｄ２は、タイヤ１の直径方向であり、タイヤ周方向Ｄ３（図１において図示していない）は、タイヤ回転軸周りの方向である。なお、図１において、タイヤ径方向Ｄ２のうち、紙面と平行であるタイヤ径方向Ｄ２は、上下方向である。また、タイヤ赤道面Ｓ１は、タイヤ回転軸に直交する面で且つタイヤ幅方向Ｄ１の中心に位置する面であり、タイヤ子午面は、タイヤ回転軸を含む面で且つタイヤ赤道面Ｓ１と直交する面である。
【００１７】
タイヤ１は、一対のビード２ａ，２ａの間に架け渡されるカーカス層５と、カーカス層５の内側に配置され、空気圧を保持するために、気体の透過を阻止する機能に優れるインナーライナー６とを備えている。カーカス層５及びインナーライナー６は、ビード部２、サイドウォール部３、及びトレッド部４に亘って、タイヤ内周に沿って配置されている。
【００１８】
カーカス層５は、本実施形態においては、１つのカーカスプライ５ａで構成されている。該カーカスプライ５ａは、ビード２ａを巻き込むようにビード２ａの周りで折り返されている。また、ビード部２は、外表面を構成すべく、カーカスプライ５ａのタイヤ幅方向Ｄ１の外側に配置されるリムストリップゴム２ｂを備えている。そして、サイドウォール部３は、外表面を構成すべく、カーカス層５のタイヤ幅方向Ｄ１の外側に配置されるサイドウォールゴム３ａを備えている。
【００１９】
トレッド部４は、地面と接するトレッド面（接地面）を構成すべく、カーカス層５の外周側に配置されるトレッドゴム７と、カーカス層５の外周側で且つトレッドゴム７の内周側に配置されるベルト層８とを備えている。本実施形態においては、ベルト層８は、二層のベルトプライ８ａ，８ｂを備えている。また、本実施形態においては、トレッドゴム７のタイヤ幅方向Ｄ１の端部は、サイドウォールゴム３ａの端部に積層されている。即ち、本実施形態に係るタイヤ１は、サイド・オン・トレッドの構造である。
【００２０】
ところで、タイヤ１は、タイヤ回転軸周りにタイヤ周方向Ｄ３に沿って螺旋状に巻かれたリボンゴムにより形成されるゴム部を備えている。本実施形態においては、当該ゴム部は、トレッドゴム７としている。そこで、まず、ゴム部を成形する成形装置７０について、図２を参酌して説明する。
【００２１】
図２に示すように、成形装置７０は、ゴムを押し出す押出部７１と、押出部７１から押し出されて形成される紐状のリボンゴム１０が巻き付けられる巻付部７２とを備えている。また、成形装置７０は、押出部７１及び巻付部７２を制御する制御部７３を備えている。
【００２２】
押出部７１は、リボンゴム１０の断面形状が一定の形状となるように、ゴムを押し出している。そして、押出部７１は、単位時間当たりのゴムの押し出し量が一定となるように、ゴムを押し出している。
【００２３】
巻付部７２は、円柱状に形成されており、軸周り（回転方向Ｄ４）に回転可能である。これにより、巻付部７２は、回転することで、押し出されて成形されたリボンゴム１０が外周部に巻き付けられる。また、巻付部７２は、押出部７１に対して、軸方向に相対変位可能である。本実施形態においては、巻付部７２が、軸方向に移動可能である。
【００２４】
なお、タイヤ周方向Ｄ３のうち、リボンゴム１０が巻かれて進む方向は、巻き方向Ｄ３１という。本実施形態においては、巻き方向Ｄ３１は、タイヤ周方向Ｄ３のうち、巻付部７２の回転方向Ｄ４と反対方向である。
【００２５】
制御部７３は、押出部７１を制御することにより、リボンゴム１０の押し出し量や、リボンゴム１０の状態（例えば、温度等）を制御している。また、制御部７３は、巻付部７２を制御することにより、巻付部７２の回転速度や、押出部７１に対する巻付部７２の位置を制御している。
【００２６】
図３に示すように、リボンゴム１０は、断面積が一定である標準部１１と、標準部１１の断面積より小さい断面積である小形部１２とを備えている。なお、該標準部１１の断面積が一定であるとは、断面積が完全に同じことだけでなく、略同じことも含んでおり、例えば、断面積を変更することを意図していない製造上の差異分を含んでいる。本実施形態においては、該標準部１１の断面積が一定であるとは、例えば、設計上の標準の断面積に対して±１０％程度の範囲を含んでいる。
【００２７】
本実施形態においては、小形部１２は、リボンゴム１０の長さ方向の端部１０ａ，１０ｂ側のみにそれぞれ配置されている。即ち、標準部１１は、リボンゴム１０の長さ方向において、一対の小形部１２，１２の間に配置されている。そして、小形部１２の断面形状は、標準部１１の断面形状と相似形状である。なお、「相似形状」とは、完全に相似である形状だけでなく、略相似である形状も含んでおり、例えば、肉眼で観察したときに、一見して相似という感性を与える形状を含んでいる。
【００２８】
リボンゴム１０の断面積は、端部１０ａ，１０ｂから次第に大きくなり、所定の境界位置１３で標準部１１となる。例えば、リボンゴム１０の端部１０ａ，１０ｂ（小形部１２の先端）の断面積は、リボンゴム１０の標準部１１（小形部１２の基端）の断面積の１０〜６０％であり、好ましくは、２０％〜５０％であり、本実施形態においては、５０％としている。
【００２９】
本実施形態においては、リボンゴム１０の断面形状は、幅方向中央部が最大の厚みで、該中央部から両側端に向かって厚みが次第に薄くなる略三角形状としている。斯かる断面形状（標準部１１の断面形状）においては、幅寸法が５〜５０ｍｍであり、幅方向中央部の厚み寸法が０．５〜３．０ｍｍであり、幅方向両側端の厚み寸法が０．０５〜０．２ｍｍであることが、好ましい。
【００３０】
なお、リボンゴム１０の断面形状は、成形対象となるゴム部（トレッドゴム７）の形態に応じた種々の断面形状とすることができる。例えば、リボンゴム１０の断面形状は、略台形状としてもよく、また、平板形状としてもよい。
【００３１】
なお、成形装置７０は、リボンゴム１０を引き伸ばすためにリボンゴム１０に付加する引張力を変更することで、巻き付けられるリボンゴム１０の断面積を変更している。具体的には、巻付部７２の回転速度を変更し、リボンゴム１０に付加する引張力を変更することで、リボンゴム１０の断面積を変更している。
【００３２】
本実施形態においては、小形部１２を成形する際の巻付部７２の回転速度は、標準部１１を成形する際の巻付部７２の回転速度よりも、速い。即ち、巻付部７２の回転速度は、形成するリボンゴム１０の断面積が小さいほど、速く設定されている。そして、小形部１２は、リボンゴム１０を引き伸ばすことにより、形成されている。
【００３３】
次に、成形装置７０で成形されるゴム部（トレッドゴム７）について、図４及び図５を参酌して説明する。
【００３４】
まず、巻付部７２が押出部７１に対して位置を固定している場合には、リボンゴム１０は、タイヤ周方向Ｄ３に平行となるように、巻付部７２に巻き付けられる。そして、巻付部７２が押出部７１に対して巻付部７２の軸方向（タイヤ幅方向Ｄ１）で移動している場合には、リボンゴム１０は、タイヤ周方向Ｄ３に対して傾斜して交差するように、巻付部７２に巻き付けられる。
【００３５】
これにより、図４及び図５に示すように、リボンゴム１０は、タイヤ周方向Ｄ３に平行となるように、巻付部７２に巻き付けられる状態と、タイヤ周方向Ｄ３に対して傾斜して交差するように、巻付部７２に巻き付けられる状態とを繰り返される。その結果、リボンゴム１０は、タイヤ幅方向Ｄ１に進むように、タイヤ周方向Ｄ３に沿って螺旋状に巻かれる。
【００３６】
このとき、リボンゴム１０は、タイヤ周方向Ｄ３に対して傾斜して交差するように、巻付部７２に巻付けられることで、タイヤ幅方向Ｄ１に所定のピッチで送られている。該ピッチは、リボンゴム１０の幅寸法よりも小さく設定されている。これにより、リボンゴム１０同士がタイヤ幅方向Ｄ１で重なり合う。なお、該重なり量は、押出部７１と巻付部７２とのタイヤ幅方向Ｄ１における相対変位量を変更することで、変更できる。
【００３７】
このようにして、タイヤ周方向Ｄ３に沿って螺旋状に巻かれたリボンゴム１０は、タイヤ周方向Ｄ３と平行に配置される平行部と、タイヤ周方向Ｄ３に対して傾斜し、タイヤ幅方向Ｄ１の隣り合う二つの列に亘って配置される傾斜部と、を交互に備えることになる。また、リボンゴム１０（傾斜部）のタイヤ周方向Ｄ３に対する傾斜角度は、例えば、巻付部７２の回転速度や、押出部７１と巻付部７２とのタイヤ幅方向Ｄ１における相対変位速度を変更することで、変更できる。
【００３８】
なお、各傾斜部のタイヤ周方向Ｄ３の長さ（各傾斜部のタイヤ周方向Ｄ３の全周に対する割合）は、全て同じに設定されている。例えば、各傾斜部は、１／１８周〜１／１２周の長さ（巻付部７２の回転角度が２０°〜３０°に相当する長さ）に設定されている。
【００３９】
これにより、各傾斜部のタイヤ周方向Ｄ３に対する傾斜角度は、全て同じに設定されている。例えば、傾斜角度は、４５°以下に設定されている。なお、各傾斜部のタイヤ周方向Ｄ３の長さや、各傾斜部のタイヤ周方向Ｄ３に対する傾斜角度は、それぞれ異なっていてもよい。
【００４０】
また、本実施形態においては、リボンゴム１０の第１端部１０ａ、即ち、巻き始端（巻かれる際の始点となる端部）１０ａは、タイヤ幅方向Ｄ１の一方側（図４及び図５における右側）の端部に位置する。そして、リボンゴム１０は、タイヤ幅方向Ｄ１の他方側（図４及び図５における左側）に進むように、巻付部７２に螺旋状に巻き付けられ、リボンゴム１０の第２端部１０ｂ、即ち、巻き終端（巻かれる際の終点となる端部）１０ｂは、タイヤ幅方向Ｄ１の他方側の端部に位置する。
【００４１】
したがって、本実施形態においては、リボンゴム１０は、タイヤ幅方向Ｄ１の進む方向が一方向（図４及び図５における左側）となるように、巻付部７２に螺旋状に巻き付けられる。なお、リボンゴム１０の巻き付け方法は、斯かる方法に限られない。
【００４２】
例えば、リボンゴム１０は、ゴム部（トレッドゴム７）のタイヤ幅方向Ｄ１の端部で折り返され、タイヤ幅方向Ｄ１の進む方向を一方側から他方側へ変更するように、巻付部７２に螺旋状に巻き付けられてもよい。要するに、リボンゴム１０の少なくとも一方の端部１０ａ，１０ｂは、ゴム部（トレッドゴム７）のタイヤ幅方向Ｄ１の端部に配置されていればよい。
【００４３】
次に、ゴム部（トレッドゴム７）におけるリボンゴム１０の巻き付け状態について、比較例と比較しつつ、図６〜図１１を参酌して説明する。
【００４４】
まず、比較例に係るリボンゴム１０の巻き始端１０ａ側の巻き付け状態について、図６及び図７を参酌して説明する。
【００４５】
図６に示すように、比較例に係るトレッドゴム７においては、リボンゴム１０の巻き始端１０ａは、外側１列目Ｌ１に位置している。そして、リボンゴム１０は、外側１列目Ｌ１において、タイヤ周方向Ｄ３と平行に巻かれる。これにより、第１平行部３１は、タイヤ周方向Ｄ３と平行に配置される。
【００４６】
そして、図７に示すように、リボンゴム１０は、外側１列目Ｌ１から外側２列目Ｌ２に向かうように、タイヤ周方向Ｄ３に対して傾斜して巻かれる。これにより、第１傾斜部２１は、巻き方向Ｄ３１において外側１列目Ｌ１から外側２列目Ｌ２に向かうように、タイヤ周方向Ｄ３に対して傾斜して配置される。
【００４７】
このとき、第１平行部３１の巻き終端３１ｂ（第１傾斜部２１の巻き始端２１ａ）は、タイヤ周方向Ｄ３において、第１平行部３１の巻き始端３１ａと同じ位置である。その後、リボンゴム１０は、外側２列目Ｌ２において、タイヤ周方向Ｄ３と平行に巻かれる。これにより、第２平行部３２は、タイヤ周方向Ｄ３と平行に配置される。
【００４８】
このように、比較例に係るトレッドゴム７においては、外側１列目Ｌ１は、第１平行部３１と第１傾斜部２１の巻き始端２１ａ側とで構成される。これにより、外側１列目Ｌ１において、第１平行部３１と第１傾斜部２１の巻き始端２１ａ側とが重なることで、ゴムの余剰箇所（図７における斜線領域Ａ１）が発生する。したがって、外側１列目Ｌ１のゴム重量が、タイヤ周方向Ｄ３において、不均一になる。
【００４９】
次に、本実施形態に係るリボンゴム１０の巻き始端１０ａ側の巻き付け状態について、図８及び図９を参酌して説明する。
【００５０】
図８に示すように、本実施形態に係るトレッドゴム７においては、リボンゴム１０の巻き始端１０ａは、外側１列目Ｌ１よりもタイヤ幅方向Ｄ１の外側（図８における右側）に位置している。そして、リボンゴム１０は、外側１列目Ｌ１よりも外側から外側１列目Ｌ１に向かうように、タイヤ周方向Ｄ３に対して傾斜して巻かれる。これにより、最外傾斜部２０は、巻き方向Ｄ３１において外側１列目Ｌ１よりも外側から外側１列目Ｌ１に向かうように、タイヤ周方向Ｄ３に対して傾斜して配置される。
【００５１】
そして、リボンゴム１０は、外側１列目Ｌ１において、タイヤ周方向Ｄ３と平行に巻かれる。これにより、第１平行部３１は、タイヤ周方向Ｄ３と平行に配置される。なお、最外傾斜部２０の断面積は、第１平行部３１の断面積よりも小さくなっている。具体的には、境界位置１３は、最外傾斜部２０と第１平行部３１との連結位置であり、それにより、最外傾斜部２０は、リボンゴム１０の小形部１２で構成され、第１平行部３１は、リボンゴム１０の標準部１１で構成されている。
【００５２】
また、最外傾斜部２０の断面積は、外側１列目Ｌ１よりも外側から外側１列目Ｌ１に向けて、次第に大きくなっている。即ち、最外傾斜部２０の断面積は、巻き始端２０ａから巻き終端２０ｂに向けて、次第に大きくなっている。
【００５３】
そして、図９に示すように、リボンゴム１０は、外側１列目Ｌ１から外側２列目Ｌ２に向かうように、タイヤ周方向Ｄ３に対して傾斜して巻かれる。これにより、第１傾斜部２１は、巻き方向Ｄ３１において外側１列目Ｌ１から外側２列目Ｌ２に向かうように、タイヤ周方向Ｄ３に対して傾斜して配置される。
【００５４】
このとき、第１傾斜部２１の巻き始端２１ａ（第１平行部３１の巻き終端３１ｂ）は、タイヤ周方向Ｄ３において、最外傾斜部２０の巻き始端２０ａと同じ位置である。また、第１傾斜部２１の巻き終端２１ｂは、タイヤ周方向Ｄ３において、最外傾斜部２０の巻き終端２０ｂ（第１平行部３１の巻き始端３１ａ）と同じ位置である。これにより、最外傾斜部２０は、第１傾斜部２１に沿って配置されている。
【００５５】
このように、本実施形態に係るトレッドゴム７においては、外側１列目Ｌ１は、最外傾斜部２０の巻き終端２０ｂ側と、第１平行部３１と、第１傾斜部２１の巻き始端２１ａ側とで構成される。これにより、比較例に対して、外側１列目Ｌ１において、ゴムの余剰箇所が発生することを抑制することができている。したがって、外側１列目Ｌ１のゴム重量がタイヤ周方向Ｄ３において不均一になることを抑制することができている。
【００５６】
その後、リボンゴム１０は、外側２列目Ｌ２において、タイヤ周方向Ｄ３と平行に巻かれる。これにより、第２平行部３２は、タイヤ周方向Ｄ３と平行に配置される。さらにその後、リボンゴム１０は、タイヤ周方向Ｄ３において同じ位置で、タイヤ周方向Ｄ３に傾斜して巻かれる状態と平行に巻かれる状態とを切り替えられる。
【００５７】
次に、本実施形態に係るリボンゴム１０の巻き終端１０ｂ側の巻き付け状態について、図１０及び図１１を参酌して説明する。
【００５８】
図１０に示すように、本実施形態に係るトレッドゴム７においては、タイヤ幅方向Ｄ１の内側から外側２列目Ｌ２まで、リボンゴム１０は、タイヤ周方向Ｄ３において同じ位置で、タイヤ周方向Ｄ３に平行に巻かれる状態と傾斜して巻かれる状態とを切り替えられている。そして、リボンゴム１０は、外側２列目Ｌ２において、タイヤ周方向Ｄ３と平行に巻かれている。これにより、第２平行部５２は、タイヤ周方向Ｄ３と平行に配置される。
【００５９】
その後、リボンゴム１０は、外側２列目Ｌ２から外側１列目Ｌ１に向かうように、タイヤ周方向Ｄ３に対して傾斜して巻かれる。これにより、第１傾斜部４１は、巻き方向Ｄ３１において外側２列目Ｌ２から外側１列目Ｌ１に向かうように、タイヤ周方向Ｄ３に対して傾斜して配置される。そして、リボンゴム１０は、外側１列目Ｌ１において、タイヤ周方向Ｄ３と平行に巻かれる。これにより、第１平行部５１は、タイヤ周方向Ｄ３と平行に配置される。
【００６０】
そして、図１１に示すように、リボンゴム１０は、外側１列目Ｌ１から外側１列目Ｌ１よりも外側（図１１における左側）に向かうように、タイヤ周方向Ｄ３に対して傾斜して巻かれる。これにより、最外傾斜部４０は、巻き方向Ｄ３１において外側１列目Ｌ１から外側１列目Ｌ１よりも外側に向かうように、タイヤ周方向Ｄ３に対して傾斜して配置される。したがって、リボンゴム１０の巻き終端１０ｂは、外側１列目Ｌ１よりもタイヤ幅方向Ｄ１の外側に位置している。
【００６１】
なお、最外傾斜部４０の断面積は、第１平行部５１の断面積よりも小さい。具体的には、境界位置１３は、最外傾斜部４０と第１平行部５１との連結位置であり、最外傾斜部４０は、リボンゴム１０の小形部１２で構成され、第１平行部５１は、リボンゴム１０の標準部１１で構成されている。
【００６２】
また、最外傾斜部４０の断面積は、外側１列目Ｌ１よりも外側から外側１列目Ｌ１に向けて、次第に大きくなっている。即ち、最外傾斜部４０の断面積は、巻き終端４０ｂから巻き始端４０ａに向けて、次第に大きくなっている。
【００６３】
また、最外傾斜部４０の巻き始端４０ａ（第１平行部５１の巻き終端５１ｂ）は、タイヤ周方向Ｄ３において、第１傾斜部４１の巻き始端４１ａと同じ位置である。また、最外傾斜部４０の巻き終端４０ｂは、タイヤ周方向Ｄ３において、第１傾斜部４１の巻き終端４１ｂ（第１平行部５１の巻き始端５１ａ）と同じ位置である。これにより、最外傾斜部４０は、第１傾斜部４１に沿って配置されている
【００６４】
このように、本実施形態に係るトレッドゴム７においては、外側１列目Ｌ１は、第１傾斜部４１の巻き終端４１ｂ側と、第１平行部５１と、最外傾斜部４０の巻き始端４０ａ側とで構成される。これにより、リボンゴム１０の巻き終端１０ｂが外側１列目Ｌ１に位置されている構成と比較して、外側１列目Ｌ１において、ゴムの余剰箇所が発生することを抑制することができている。したがって、外側１列目Ｌ１のゴム重量がタイヤ周方向Ｄ３において不均一になることを抑制することができている。
【００６５】
以上より、本実施形態に係るタイヤ１は、タイヤ周方向Ｄ３に沿って螺旋状に巻かれたリボンゴム１０により形成されるゴム部（具体的には、トレッドゴム７）を備えるタイヤ１であって、前記リボンゴム１０は、タイヤ幅方向Ｄ１の外側２列目Ｌ２から外側１列目Ｌ１に亘って、タイヤ周方向Ｄ３に対して傾斜して配置される第１傾斜部２１，４１と、端部３１ｂ，５１ａが前記第１傾斜部２１，４１の端部２１ａ，４１ｂと連結され、タイヤ幅方向Ｄ１の外側１列目Ｌ１を構成すべく、タイヤ周方向Ｄ３と平行に配置される第１平行部３１，５１と、端部２０ｂ，４０ａが前記第１平行部３１，５１の端部３１ａ，５１ｂと連結され、タイヤ周方向Ｄ３に対して傾斜して配置される最外傾斜部２０，４０と、を備え、前記最外傾斜部２０，４０は、前記第１傾斜部２１，４１に沿って配置されると共に、タイヤ幅方向Ｄ１の外側１列目Ｌ１から外側１列目Ｌ１よりも外側にまで配置される。
【００６６】
斯かる構成によれば、第１傾斜部２１，４１は、タイヤ幅方向Ｄ１の外側２列目Ｌ２から外側１列目Ｌ１に亘って、タイヤ周方向Ｄ３に対して傾斜して配置されている。そして、第１平行部３１，５１は、端部３１ｂ，５１ａが第１傾斜部２１，４１の端部２１ａ，４１ｂと連結され、タイヤ幅方向Ｄ１の外側１列目Ｌ１を構成すべく、タイヤ周方向Ｄ３と平行に配置されている。
【００６７】
また、最外傾斜部２０，４０は、端部２０ｂ，４０ａが第１平行部３１，５１の端部３１ａ，５１ｂと連結され、タイヤ周方向Ｄ３に対して傾斜して配置されている。そして、最外傾斜部２０，４０は、第１傾斜部２１，４１に沿って配置されると共に、タイヤ幅方向Ｄ１の外側１列目Ｌ１から外側１列目Ｌ１よりも外側にまで配置されている。
【００６８】
これにより、タイヤ幅方向Ｄ１の外側１列目Ｌ１は、最外傾斜部２０，４０の一部（端部２０ｂ，４０ａ側）と、第１平行部３１，５１と、第１傾斜部２１，４１の一部（端部２１ａ，４１ｂ側）とで構成されている。したがって、リボンゴム１０の端部１０ａ，１０ｂがタイヤ幅方向Ｄ１の外側１列目Ｌ１に位置されている構成と比較して、タイヤ幅方向Ｄ１の外側１列目Ｌ１のゴム重量がタイヤ周方向Ｄ３において不均一になることを抑制することができる。
【００６９】
その結果、当該ゴム部（トレッドゴム７）を備えるタイヤ１において、例えば、ＲＦＶが大きくなることの抑制を図ることができる。また、例えば、リボンゴム１０同士が重なる領域を小さくすることで、ゴム寸法が厚くなることの抑制も図ることができる。これにより、例えば、放熱性が向上することで、当該ゴム部（トレッドゴム７）を備えるタイヤ１において、高速耐久性能の向上を図ることもできる。
【００７０】
また、本実施形態に係るタイヤ１においては、前記最外傾斜部２０，４０の断面積は、前記第１平行部３１，５１の断面積よりも小さい、という構成である。
【００７１】
斯かる構成によれば、最外傾斜部２０，４０の断面積が第１平行部３１，５１の断面積よりも小さいため、タイヤ幅方向Ｄ１の外側１列目Ｌ１よりも外側のゴム重量が増加することを抑制することができる。これにより、タイヤ１の、タイヤ幅方向Ｄ１の外側１列目Ｌ１よりも外側の領域において、ゴム重量が不均一になることを抑制することができる。その結果、当該ゴム部（トレッドゴム７）を備えるタイヤ１において、例えば、ＲＦＶが大きくなることの抑制を効果的に図ることができる。
【００７２】
また、本実施形態に係るタイヤ１においては、前記最外傾斜部２０は、巻き方向Ｄ３１においてタイヤ幅方向Ｄ１の外側１列目Ｌ１よりも外側から外側１列目Ｌ１に向かうように、タイヤ周方向Ｄ３に対して傾斜して配置され、前記第１平行部３１は、巻き始端３１ａが前記最外傾斜部２０の巻き終端２０ｂと連結され、タイヤ幅方向Ｄ１の外側１列目Ｌ１を構成すべく、タイヤ周方向Ｄ３と平行に配置され、前記第１傾斜部２１は、巻き始端２１ａが前記第１平行部３１の巻き終端３１ｂと連結され、巻き方向Ｄ３１においてタイヤ幅方向Ｄ１の外側１列目Ｌ１から外側２列目Ｌ２に向かうように、タイヤ周方向Ｄ３に対して傾斜して配置される、という構成である。
【００７３】
斯かる構成によれば、最外傾斜部２０は、第１傾斜部２１に沿って配置されると共に、巻き方向Ｄ３１においてタイヤ幅方向Ｄ１の外側１列目Ｌ１よりも外側から外側１列目Ｌ１に配置されている。これにより、リボンゴム１０の巻き始端１０ａ側における外側１列目Ｌ１のゴム重量がタイヤ周方向Ｄ３において不均一になることを抑制することができる。
【００７４】
また、本実施形態に係るタイヤ１においては、前記第１傾斜部４１は、巻き方向Ｄ３１においてタイヤ幅方向Ｄ１の外側２列目Ｌ２から外側１列目Ｌ１に向かうように、タイヤ周方向Ｄ３に対して傾斜して配置され、第１平行部５１は、巻き始端５１ａが前記第１傾斜部４１の巻き終端４１ｂと連結され、タイヤ幅方向Ｄ１の外側１列目Ｌ１を構成すべく、タイヤ周方向Ｄ３と平行に配置され、前記最外傾斜部４０は、巻き始端４０ａが前記第１平行部５１の巻き終端５１ｂと連結され、巻き方向Ｄ３１においてタイヤ幅方向Ｄ１の外側１列目Ｌ１から外側１列目Ｌ１よりも外側に向かうように、タイヤ周方向Ｄ３に対して傾斜して配置される、という構成である。
【００７５】
斯かる構成によれば、最外傾斜部４０は、第１傾斜部４１に沿って配置されると共に、巻き方向Ｄ３１においてタイヤ幅方向Ｄ１の外側１列目Ｌ１から外側１列目Ｌ１よりも外側に配置されている。これにより、リボンゴム１０の巻き終端１０ｂ側における外側１列目Ｌ１のゴム重量がタイヤ周方向Ｄ３において不均一になることを抑制することができる。
【００７６】
また、本実施形態に係るタイヤ１の製造方法は、前記タイヤ１の製造方法であって、タイヤ幅方向Ｄ１の外側１列目Ｌ１よりも外側から外側１列目Ｌ１に向かうように、タイヤ周方向Ｄ３に対して傾斜させてリボンゴム１０を巻くことと、その後、タイヤ幅方向Ｄ１の外側１列目Ｌ１を構成すべく、タイヤ周方向Ｄ３と平行にリボンゴム１０を巻くことと、その後、タイヤ幅方向Ｄ１の外側１列目Ｌ１から外側２列目Ｌ２に向かうように、タイヤ周方向Ｄ３に対して傾斜させてリボンゴム１０を巻くことと、を含む。
【００７７】
また、本実施形態に係るタイヤ１の製造方法は、前記タイヤ１の製造方法であって、タイヤ幅方向Ｄ１の外側２列目Ｌ２から外側１列目Ｌ１に向かうように、タイヤ周方向Ｄ３に対して傾斜させてリボンゴム１０を巻くことと、その後、タイヤ幅方向Ｄ１の外側１列目Ｌ１を構成すべく、タイヤ周方向Ｄ３と平行にリボンゴム１０を巻くことと、その後、タイヤ幅方向Ｄ１の外側１列目Ｌ１から外側１列目Ｌ１よりも外側に向かうように、タイヤ周方向Ｄ３に対して傾斜させてリボンゴム１０を巻くことと、を含む。
【００７８】
なお、タイヤ及びタイヤの製造方法は、上記した実施形態の構成に限定されるものではなく、また、上記した作用効果に限定されるものではない。また、タイヤ及びタイヤの製造方法は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００７９】
上記実施形態に係るタイヤ１においては、最外傾斜部２０，４０は、リボンゴム１０の巻き始端１０ａ側と巻き終端１０ｂ側の両方とにそれぞれ備えられる、という構成である。しかしながら、タイヤは、斯かる構成に限られない。例えば、タイヤにおいては、最外傾斜部２０，４０は、リボンゴム１０の巻き始端１０ａ側又は巻き終端１０ｂ側の一方のみに備えられる、という構成でもよい。
【００８０】
また、上記実施形態に係るタイヤ１においては、最外傾斜部２０，４０の断面積は、第１平行部３１，５１の断面積よりも小さい、という構成である。しかしながら、タイヤは、斯かる構成に限られない。例えば、タイヤにおいては、最外傾斜部２０，４０の断面積は、第１平行部３１，５１の断面積と同じである、という構成でもよい。即ち、タイヤにおいては、リボンゴム１０の断面積は、全長に亘って一定である、という構成でもよい。
【００８１】
また、上記実施形態に係るタイヤ１においては、リボンゴム１０の端部１０ａ，１０ｂは、最外傾斜部２０，４０の端部２０ａ，４０ｂである、という構成である。しかしながら、タイヤは、斯かる構成に限られない。例えば、タイヤにおいては、図１２に示すように、リボンゴム１０は、タイヤ幅方向Ｄ１の外側１列目Ｌ１よりも外側でタイヤ周方向Ｄ３と平行に配置される最外平行部３０を備え、リボンゴム１０の端部１０ａは、最外平行部３０の端部３０ａである、という構成でもよい。
【００８２】
図１２においては、最外平行部３０の第１端部（巻き始端）３０ａは、リボンゴム１０の端部（巻き端部）１０ａであり、また、最外平行部３０の第２端部（巻き終端）３０ｂは、最外傾斜部２０の端部（巻き始端）２０ａと連結されている。なお、図１２においては、リボンゴム１０の巻き始端１０ａ側を説明したが、リボンゴム１０は、巻き終端１０ｂ側において、最外平行部を備えている、という構成でもよい。
【００８３】
また、上記実施形態に係るタイヤ１においては、リボンゴム１０を引き伸ばすことにより、リボンゴム１０の断面積が変更される（即ち、小形部１２が形成される）、という構成である。しかしながら、タイヤは、斯かる構成に限られない。例えば、タイヤにおいては、押出部７１から押し出されるゴムの断面形状を変更したり、押出部７１からの単位時間当たりのゴムの押し出し量を変更したりすることにより、リボンゴム１０の断面積が変更される、という構成でもよい。
【００８４】
また、上記実施形態に係るタイヤ１においては、巻付部７２の回転速度を変更することにより、リボンゴム１０に付加する引張力を変更し、リボンゴム１０の断面積が変更される（即ち、小形部１２が形成される）、という構成である。しかしながら、タイヤは、斯かる構成に限られない。例えば、タイヤにおいては、図１３に示すように、引張機構７４がリボンゴム１０を引っ張ることにより、リボンゴム１０の断面積が変更される、という構成でもよい。
【００８５】
図１３に係る成形装置７０は、押出部７１から押し出されたリボンゴム１０を巻付部７２に向けて搬送する搬送機構７５と、リボンゴム１０を把持して引っ張る引張機構７４とをさらに備えている。なお、搬送機構７５は、複数の搬送ローラ７５ａを備え、搬送ローラ７５ａ，７５ａ同士間の距離を変更することで、リボンゴム１０を引っ張って断面積を変更する、即ち、引張機構７４の機能を兼用する、という構成でもよい。
【００８６】
また、上記実施形態に係るタイヤ１においては、ゴム部（トレッドゴム７）を成形する成形装置７０は、一つの巻付部７２に対して、一つの押出部７１を備えている、という構成である。しかしながら、タイヤは、斯かる構成に限られない。
【００８７】
例えば、タイヤにおいては、図１４に示すように、成形装置７０は、一つの巻付部７２に対して、複数（図１４においては二つ）の押出部７１を備えている、という構成でもよい。なお、図１４に係る成形装置７０において成形されたゴム部（トレッドゴム７）は、例えば、最外傾斜部２０，４０、第１平行部３１，５１、及び第１傾斜部２１，４１は、タイヤ幅方向Ｄ１の端部で、それぞれ二つ備えられることになる。
【００８８】
また、上記実施形態に係るタイヤ１においては、小形部１２の断面形状は、標準部１１の断面形状と相似形である、という構成である。しかしながら、タイヤは、斯かる構成に限られない。例えば、タイヤにおいては、小形部１２の断面形状は、標準部１１の断面形状と非相似形である、という構成でもよい。
【００８９】
また、上記実施形態に係るタイヤ１においては、タイヤ周方向Ｄ３に沿って螺旋状に巻かれたリボンゴム１０により形成されるゴム部は、トレッドゴム７である、という構成である。しかしながら、タイヤは、斯かる構成に限られない。例えば、タイヤにおいては、リボンゴム１０により形成されるゴム部は、トレッドゴム７の一部でもよく、他のゴム２ｂ，３ａ，６でもよい。要するに、リボンゴム１０により形成されるゴム部は、限定されない。
【００９０】
また、タイヤ１は、加硫前のタイヤ（未加硫タイヤ）も、加硫後のタイヤ（加硫タイヤ）も含まれる。なお、加硫後のタイヤにおいては、タイヤ１を鋭利な刃物で切断し、その断面により、リボンゴム１０の境界面を観察することができる。これにより、リボンゴム１０の巻き状態の特定は、可能である
【符号の説明】
【００９１】
１…タイヤ、２…ビード部、２ａ…ビード、２ｂ…リムストリップゴム、３…サイドウォール部、３ａ…サイドウォールゴム、４…トレッド部、５…カーカス層、５ａ…カーカスプライ、６…インナーライナー、７…トレッドゴム、８…ベルト層、８ａ…ベルトプライ、８ｂ…ベルトプライ、１０…リボンゴム、１０ａ…巻き始端（端部）、１０ｂ…巻き終端（端部）、１１…標準部、１２…小形部、１３…境界位置、２０…最外傾斜部、２０ａ…巻き始端（端部）、２０ｂ…巻き終端（端部）、２１…第１傾斜部、２１ａ…巻き始端（端部）、２１ｂ…巻き終端（端部）、３０…最外平行部、３０ａ…巻き始端（端部）、３０ｂ…巻き終端（端部）、３１…第１平行部、３１ａ…巻き始端（端部）、３１ｂ…巻き終端（端部）、３２…第２平行部、４０…最外傾斜部、４０ａ…巻き始端（端部）、４０ｂ…巻き終端（端部）、４１…第１傾斜部、４１ａ…巻き始端（端部）、４１ｂ…巻き終端（端部）、５１…第１平行部、５１ａ…巻き始端（端部）、５１ｂ…巻き終端（端部）、５２…第２平行部、７０…成形装置、７１…押出部、７２…巻付部、７３…制御部、７４…引張機構、７５…搬送機構、７５ａ…搬送ローラ、１００…リム、Ｄ１…タイヤ幅方向、Ｄ２…タイヤ径方向、Ｄ３…タイヤ周方向、Ｄ４…回転方向、Ｄ３１…巻き方向、Ｓ１…タイヤ赤道面
【図１】
0006581890.tif 000002
【図２】
0006581890.tif 000003
【図３】
0006581890.tif 000004
【図４】
0006581890.tif 000005
【図５】
0006581890.tif 000006
【図６】
0006581890.tif 000007
【図７】
0006581890.tif 000008
【図８】
0006581890.tif 000009
【図９】
0006581890.tif 000010
【図１０】
0006581890.tif 000011
【図１１】
0006581890.tif 000012
【図１２】
0006581890.tif 000013
【図１３】
0006581890.tif 000014
【図１４】
0006581890.tif 000015